(57)【要約】【課題】不必要な展開動作を防止することができる側面衝突用エアバッグ制御装置を提供すること。【解決手段】本発明に係る側面衝突用エアバッグ制御装置１は、ドア加速度センサ２又は車体加速度センサ３の出力値が閾値を超えた場合に側面衝突用エアバッグ５の展開動作を制御する制御手段４ａと、車両のフロントドア又はリヤドアに設置されるドアロック機構のロック状態を検出するロック状態検出手段６ａと、ロック状態検出手段６ａがドアロック機構のドアロックを検出した場合に、閾値を正常値よりも高い高設定値に変更する閾値変更手段４ｂを備えることを特徴とする。【選択図】図２
2009161059.tif 000002
【特許請求の範囲】
【請求項１】
ドア加速度センサ又は車体加速度センサの出力値が閾値を超えた場合に側面衝突用エアバッグの展開動作を制御する制御手段と、車両のフロントドア又はリヤドアに設置されるドアロック機構のロック状態を検出するロック状態検出手段と、前記ロック状態検出手段が前記ドアロック機構のドアロックを検出した場合に、前記閾値を正常値よりも高い高設定値に変更する閾値変更手段を備えることを特徴とする側面衝突用エアバッグ制御装置。
【請求項２】
前記ロック状態検出手段が前記ドアロック機構のドアアンロックを検出した場合に、前記閾値変更手段が、前記閾値を前記高設定値から前記正常値に変更することを特徴とする請求項１に記載の側面衝突用エアバッグ制御装置。
【請求項３】
車速を検出する車速検出手段を備えるとともに、前記車速が所定値以上となった場合に、自動的に前記ドアロック機構のドアロックを行う自動ドアロック手段を備えることを特徴とする請求項１又は２に記載の側面衝突用エアバッグ制御装置。
【発明の詳細な説明】
【技術分野】
【０００１】
本発明は、乗用車、トラック、バス等の自動車に適用して好適な側面衝突用エアバッグ制御装置に関する。
【背景技術】
【０００２】
近年の車両においては、車両の側面に他車両が衝突した場合すなわち通常のバリヤ側面衝突又は、車両がロールオーバーしたりスピンしたりして電柱等のポールに側面衝突する場合に備えた、側面衝突用エアバッグ装置を備えたものがある。
【０００３】
このような側面衝突用エアバッグ装置においては、側面衝突を精度良く検出して乗員を保護するために、車体に設けられた加速度センサと、フロントドア及びリヤドアに設けられた加速度センサにより、側面衝突時の加速度を検出して、この加速度が所定の閾値を超えた場合に、側面衝突用のエアバッグを展開して、乗員を保護することが行われている。ところがこのような側面衝突用エアバッグ装置においては、フロントドア又はリヤドアを乗員が強閉した場合における衝撃力による加速度を車体又はフロントドア又はリヤドアの加速度センサが検出し、この加速度が所定の閾値を超えた場合においては、側面衝突が発生していないにもかかわらず、側面衝突用のエアバッグが展開されてしまうと言う事態が生じる。
【０００４】
このような事態を回避するために、例えば特許文献１に記載されているような側面衝突用エアバッグ装置が提案されている。この側面衝突用エアバッグ装置においては、フロントドア又はリヤドアに設けられたドアスイッチにより、フロントドア又はリヤドアの開から閉への変化を検出して、開から閉への変化が検出された後、一定時間経過するまでは、上述した加速度線センサの検出した加速度が所定の閾値を超えた場合でも側面衝突用エアバッグを展開することを禁止する処理が行われている。
【特許文献１】特開２００７−１３７３３２号公報
【発明の開示】
【発明が解決しようとする課題】
【０００５】
ところがこのような側面衝突用エアバッグ制御装置においては、フロントドア又はリヤドアの閉動作が終了するタイミングである、ドア閉状態をドアスイッチにより検出した後一定時間経過するまで、側面衝突用エアバッグを展開することを禁止しているが、ドア閉状態がドアスイッチにより一旦検出された後でも、乗員によりドアロックがなされる又は自動ドアロック機能により自動ドアロックがなされるまでは、依然として乗員によりドア強閉動作が行われる可能性がある。このため、ドア閉状態をドアスイッチにより一旦検出して一定時間経過した後において、ドア強閉動作が行われて、フロントドア又はリヤドアの強閉による衝撃力による加速度が加速度センサにより検出されてしまい、この加速度が所定の閾値を超えた場合においては、依然として、側面衝突が発生していないにもかかわらず、側面衝突用のエアバッグが展開されてしまい、不要な展開動作が行われてしまうと言う問題があった。
【０００６】
本発明は、上記問題に鑑み、不必要な展開動作を防止することができる側面衝突用エアバッグ制御装置を提供することを目的とする。
【課題を解決するための手段】
【０００７】
上記の問題を解決するため、本発明に係る側面衝突用エアバッグ制御装置は、
ドア加速度センサ又は車体加速度センサの出力値が閾値を超えた場合に側面衝突用エアバッグの展開動作を制御する制御手段と、
車両のフロントドア又はリヤドアに設置されるドアロック機構のロック状態を検出するロック状態検出手段と、
前記ロック状態検出手段が前記ドアロック機構のドアロックを検出した場合に、前記閾値を正常値よりも高い高設定値に変更する閾値変更手段を備えることを、
ここで、前記側面衝突用エアバッグ制御装置において、
前記ロック状態検出手段が前記ドアロック機構のドアアンロックを検出した場合に、前記閾値変更手段が、前記閾値を前記高設定値から前記正常値に変更することが好ましい。
【０００８】
これによれば、乗員により前記フロントドア又はリヤドアが強閉された場合に、前記フロントドア又はリヤドアの強閉の衝撃力に起因する加速度が発生して、前記ドア加速度センサの出力値又は前記車体加速度センサの出力値が上昇しても、前記強閉が行われる可能性のある、前記ドアロックがなされていない状態を前記ロック状態検出手段が検出して、前記ドアロックがなされていない状態においては、前記閾値変更手段が前記閾値を正常値から前記正常値より高い前記高設定値に変更しているので、前記ドア加速度センサの出力値又は前記車体加速度センサの出力値が上昇して前記閾値を超えることを防止することができる。
【０００９】
これにより、従来技術で問題となった、前記フロントドア又はリヤドアの閉状態をドアスイッチにより検出した後に、前記ドアロックがなされるまでの間において、前記フロントドア又はリヤドアの強閉による衝撃力による加速度が、前記ドア加速度センサ又は前記車体加速度センサにより検出されてしまい、この前記ドア加速度センサ又は前記車体加速度センサの出力値が前記閾値を超えて、側面衝突が発生していないにもかかわらず、側面衝突用のエアバッグが展開されてしまい、不要な展開動作が行われてしまうことを防止することができる。
【００１０】
ここで、前記側面衝突用エアバッグ制御装置において、
車速を検出する車速検出手段を備えるとともに、前記車速が所定値以上となった場合に、自動的に前記ドアロック機構のドアロックを行う自動ドアロック手段を備えることが好ましい。
【００１１】
これによれば、自動ドアロック機能を備えた車両においても、本発明を適用することができる。さらに、前記自動ドアロック手段により前記車速が所定値以上となった場合に、車両のドアロックを行った後に、前記ロック状態検出手段がドアロックを検出して初めて、前記閾値変更手段が前記閾値を前記正常値から前記高設定値に変更することになるので、車両発進から前記車速が所定値に到達するまでの低速領域において、乗員がドア強閉動作を行った場合においても、前記側面衝突用エアバッグを不必要に展開することを防止することができる。
【発明の効果】
【００１２】
本発明によれば、不必要な展開動作を防止することができる側面衝突用エアバッグ制御装置を提供することができる。
【発明を実施するための最良の形態】
【００１３】
以下、本発明を実施するための最良の形態について、添付図面を参照しながら説明する。
【実施例１】
【００１４】
図１は、本発明に係る側面衝突用エアバッグ制御装置の一実施例を示す模式図である。
【００１５】
本実施例１の側面衝突用エアバッグ制御装置１は、車両のフロントドア及びリヤドアの合計四箇所に設けられるドア加速度センサ２と、車両のフロアの水平面視におけるほぼ中心に配置される車体加速度センサ３と、エアバッグＥＣＵ４(Electronic  Control  Unit)と、エアバッグ５と、ボディＥＣＵ６を備えて構成される。なおエアバッグＥＣＵ４とボディＥＣＵ６とはＣＡＮ（Controller  Area  Network）等の通信規格により接続される。
【００１６】
ドア加速度センサ２は、車両のフロントドアＦ及びリヤドアＲの内部に設けられる加速度センサにより構成されるものであり、車両の側面衝突時の衝撃力に起因するそれぞれのドアに発生する加速度を検出して、その検出値をエアバッグＥＣＵ４に出力するものである。なおドア加速度センサ２は、ここでは詳細は図示しないがフロントドア及びリヤドアを構成するインパクトビームと後端部との溶接による接合部分に設置される。
【００１７】
車体加速度センサ３は、車両のフロントドアとリヤドアとの車両前後方向の中間に位置して、車両のフロアの下面に水平面視においてほぼ中央に配置される加速度センサにより構成されるものであり、これも車両の側面衝突時の衝撃力に起因する加速度を検出して、その検出値をエアバッグＥＣＵ４に出力するものである。
【００１８】
エアバッグＥＣＵ４は、例えばＣＰＵ、ＲＯＭ、ＲＡＭおよびそれらを相互に接続するデータバス及び入出力インターフェースから構成され、ＲＯＭに格納されたプログラムに従い、ＣＰＵが以下に述べるそれぞれの処理を行う制御手段４ａ及び閾値変更手段４ｂを構成するものである。
【００１９】
エアバッグ５は、側面衝突用エアバッグであって、フロントドア又はリヤドアの車室内に面する側面又は、シートのシートバックに設けられて、側面衝突時に乗員の主に胴部とドアとの間で展開して、主に乗員の胴部を保護するサイドエアバッグと、車両のルーフサイドレールに沿って設けられて、乗員の頭部近傍と車体内側面との間に展開して、主に乗員の頭部を保護するカーテンエアバッグとの双方を含むものとする。
【００２０】
エアバッグ５は、側面衝突をエアバッグＥＣＵ４の制御手段４ａが前述したドア加速度センサ２又は車体加速度センサ３により検出した場合に、制御手段４ａの展開信号に基づいて、内蔵するインフレータ内のガス発生剤が点火されて、瞬間的に発生する大量の窒素ガス等の不活性ガスがエアバッグ５を構成するエアバッグ内に充填されることにより膨張することにより、展開動作される。
【００２１】
エアバッグＥＣＵ４の制御手段４ａは、ドア加速度センサ２の出力値が閾値αを超えた場合、又は、車体加速度センサ３の出力値が閾値βを超えた場合において、エアバッグ５を動作させる展開信号を出力する。なお、ドア加速度センサ２の出力値が閾値αを超えた場合においては、このドア加速度センサ２が設置されているフロントドア又はリヤドアに該当する部位のエアバッグ５のみを展開しても良いし、全てのエアバッグ５を展開しても良い。
【００２２】
ボディＥＣＵ６は、例えばＣＰＵ、ＲＯＭ、ＲＡＭおよびそれらを相互に接続するデータバス及び入出力インターフェースから構成され、ＲＯＭに格納されたプログラムに従い、ＣＰＵが以下に述べるそれぞれの処理を行うロック状態検出手段６ａを構成するものであって、ロック状態検出手段６ａは図示しないドアロック機構に設けられた接点の出力に基づいて、フロントドア又はリヤドアのロック状態がドアロックであるかドアアンロックであるかを検出する。
【００２３】
エアバッグＥＣＵ４の閾値変更手段４ｂは、ボディＥＣＵ６のロック状態検出手段６ａがフロントドア又はリヤドアのドアロックを検出した場合においては、閾値αを正常値よりも高い高設定値に変更するとともに、閾値βも正常値よりも高い高設定値に変更する。
【００２４】
エアバッグＥＣＵ４の閾値変更手段４ｂは、ボディＥＣＵ６のロック状態検出手段６ａがフロントドア又はリヤドアのドアアンロックを検出した場合においては、閾値αを正常値よりも高い高設定値から正常値に変更するとともに、閾値βも正常値よりも高い高設定値から正常値に変更する。
【００２５】
なお、閾値αと閾値βは、同一の側面衝突においても、フロントドア又はリヤドアに発生する加速度と、フロア中央で発生する加速度は相違しており、これに伴って、前者の加速度を検出するドア加速度センサ２の出力値と、後者の加速度を検出する車体加速度センサ３の出力値とも相違するため、閾値αに適用される正常値と正常値よりも高い高設定値と、閾値βに適用される正常値と正常値よりも高い高設定値とは相違するものとする。
【００２６】
ここで、閾値α及び閾値β双方において、正常値に対して高設定値をどの程度たかくするかは、実車を用いたドア強閉試験により測定された実験値に基づいて、適宜決定することができる。
【００２７】
以下本実施例１の側面衝突用エアバッグ制御装置１の制御内容を、フローチャートを用いて説明する。図２は、本発明に係わる側面衝突用エアバッグ制御装置の一実施例による制御内容を示すフローチャートである。
【００２８】
図２に示すように、Ｓ１において、エアバッグＥＣＵ４の制御手段４ａはドア加速度センサ２の出力値を検出し、Ｓ２において、エアバッグＥＣＵ４の制御手段４ａは車体加速度センサ３の出力値を検出し、Ｓ３において、ボディＥＣＵ６のロック状態検出手段６ａは、ドアロック機構のロック状態を検出する。
【００２９】
Ｓ４において、エアバッグＥＣＵ４の閾値変更手段４ｂは、ボディＥＣＵ６のロック状態検出手段６ａの検出したロック状態がドアロックかドアアンロックかを判定し、ドアロックでない場合すなわちドアアンロックである場合においては、Ｓ５にすすんで、閾値αを正常値から正常値よりも高い高設定値に変更し、閾値βも正常値から正常値よりも高い高設定値に変更する。
【００３０】
Ｓ４において、エアバッグＥＣＵ４の閾値変更手段４ｂは、ボディＥＣＵ６のロック状態検出手段６ａの検出したロック状態がドアロックかドアアンロックかを判定し、ドアロックである場合においては、Ｓ６にすすんで、閾値αを正常値よりも高い高設定値から正常値に変更し、閾値βも正常値よりも高い高設定値から正常値に変更する。
【００３１】
その後、Ｓ７にすすんで、Ｓ７において、エアバッグＥＣＵ４の制御手段４ａは、ドア加速度センサ２の出力値が閾値αを越えたかどうかを判定し、超えた場合には、側面衝突が発生しているとみなして、Ｓ９にすすみ、エアバッグ５を動作させるようにエアバッグ５に対して展開信号を出力する。
【００３２】
Ｓ７において、エアバッグＥＣＵ４の制御手段４ａがドア加速度センサ２の出力値が閾値αを超えていないと判定する場合には、Ｓ８にすすみ、Ｓ８において、エアバッグＥＣＵ４の制御手段４ａは、車体加速度センサ３の出力値が閾値βを超えているかどうかを判定する。Ｓ８において、車体加速度センサ３の出力値が閾値βを超えていると判定される場合には、エアバッグＥＣＵ４の制御手段４ａは側面衝突が発生しているとみなして、Ｓ９にすすんで、エアバッグ５を動作させるようにエアバッグ５に対して展開信号を出力する。
【００３３】
Ｓ８において、車体加速度センサ３の出力値が閾値βを超えていると判定されない場合には、エアバッグＥＣＵ４の制御手段４ａは側面衝突が発生していないとみなして、エアバッグ５に展開信号を出力することなく、制御を終了する。
【００３４】
以上述べた本実施例１によれば、以下のような作用効果を得ることができる。すなわち、乗員によりフロントドア又はリヤドアが強閉された場合に、フロントドア又はリヤドアの強閉の衝撃力に起因する加速度が発生して、ドア加速度センサ２の出力値又は車体加速度センサ３の出力値が上昇しても、強閉が行われる可能性のある、ドアロックがなされていない状態を、ボディＥＣＵ６のロック状態検出手段６ａが検出して、ドアロックがなされていない状態においては、エアバッグＥＣＵ４の閾値変更手段４ｂが閾値α及び閾値βを正常値から正常値より高い高設定値に変更しているので、ドア加速度センサ２の出力値が上昇して閾値αを超える、又は、車体加速度センサ３の出力値が上昇して閾値βを超えることを防止することができる。
【００３５】
これにより、従来技術で問題となった、フロントドア又はリヤドアの閉状態をドアスイッチにより検出した後に、ドアロックがなされるまでの間において、フロントドア又はリヤドアの強閉が行われて、強閉による衝撃力による加速度が、ドア加速度センサ２又は車体加速度センサ３により検出されてしまい、このドア加速度センサ２の出力値が閾値αを超えて又は車体加速度センサ３の出力値が閾値βを超えて、側面衝突が発生していないにもかかわらず、側面衝突用のエアバッグ５が展開されてしまい、不要な展開動作が行われてしまうことを防止することができる。
【００３６】
上述した実施例１においては、ドアロックを乗員がマニュアルにて行う場合を示したが、車両が自動ドアロック機能を備えるものである場合にも、本発明を適用することができる。これに関する実施例２について以下に述べる。
【実施例２】
【００３７】
図３は、本発明に係る側面衝突用エアバッグ制御装置の一実施例を示す模式図である。
【００３８】
本実施例２の側面衝突用エアバッグ制御装置１１は、車両のフロントドア及びリヤドアの合計四箇所に設けられるドア加速度センサ２と、車両のフロアの水平面視におけるほぼ中心に配置される車体加速度センサ３と、エアバッグＥＣＵ４(Electronic  Control  Unit)と、エアバッグ５と、ボディＥＣＵ６と、ドアロックアクチュエータ７を備えて構成される。なお、実施例１に示した構成要素と同一の構成要素については同一の符号を付して、重複する構成の説明は割愛する。
【００３９】
ボディＥＣＵ６は、例えばＣＰＵ、ＲＯＭ、ＲＡＭおよびそれらを相互に接続するデータバス及び入出力インターフェースから構成され、ＲＯＭに格納されたプログラムに従い、ＣＰＵが以下に述べるそれぞれの処理を行うロック状態検出手段６ａ、車速検出手段６ｂ、自動ドアロック手段６ｃを構成するものであって、ロック状態検出手段６ａは図示しないドアロック機構に設けられた接点の出力に基づいて、フロントドア又はリヤドアのロック状態がドアロックであるかドアアンロックであるかを検出する。
【００４０】
ボディＥＣＵ６の車速検出手段６ｂは図示しない車輪速センサから車速を検出し、自動ロアロック手段６ｃは、車速検出手段６ｂの検出した車速が所定値（例えば１５ｋｍ／ｈ）以上となった場合においては、ドアロックアクチュエータ７を動作させて、図示しないドアロック機構によりドアロックを行う。
【００４１】
エアバッグＥＣＵ４の閾値変更手段４ｂは、ボディＥＣＵ６のロック状態検出手段６ａがフロントドア又はリヤドアの、自動ドアロック手段６ｃの制御に基づくドアロックを検出した場合においては、閾値αを正常値よりも高い高設定値に変更するとともに、閾値βも正常値よりも高い高設定値に変更する。
【００４２】
エアバッグＥＣＵ４の閾値変更手段４ｂは、ボディＥＣＵ６のロック状態検出手段６ａがフロントドア又はリヤドアのドアアンロックを検出した場合においては、閾値αを正常値よりも高い高設定値から正常値に変更するとともに、閾値βも正常値よりも高い高設定値から正常値に変更する。
【００４３】
なおここでも、閾値αと閾値βは、同一の側面衝突においても、フロントドア又はリヤドアに発生する加速度と、フロア中央で発生する加速度は相違しており、これに伴って、前者の加速度を検出するドア加速度センサ２の出力値と、後者の加速度を検出する車体加速度センサ３の出力値とも相違するため、閾値αに適用される正常値と正常値よりも高い高設定値と、閾値βに適用される正常値と正常値よりも高い高設定値とは相違するものとする。
【００４４】
以下本実施例２の側面衝突用エアバッグ制御装置１１の制御内容を、フローチャートを用いて説明する。図４は、本発明に係わる側面衝突用エアバッグ制御装置の一実施例による制御内容を示すフローチャートである。
【００４５】
図４に示すように、Ｓ１１において、エアバッグＥＣＵ４の制御手段４ａはドア加速度センサ２の出力値を検出し、Ｓ１２において、エアバッグＥＣＵ４の制御手段４ａは車体加速度センサ３の出力値を検出し、Ｓ１３において、ボディＥＣＵ６のロック状態検出手段６ａは、ドアロック機構のロック状態を検出し、Ｓ１４において、ボディＥＣＵ６の車速検出手段６ｂは、車速を検出する。
【００４６】
Ｓ１５において、ボディＥＣＵ６の自動ドアロック手段６ｃは、車速検出手段６ｂの検出した車速が所定値以上であるかを判定し、所定値以上である場合にはＳ１６にすすんで、ドアロックアクチュエータ７を動作させてドアロック機構をドアロックし、所定値以上でない場合には、Ｓ１６のステップをとばして、Ｓ１７にすすむ。
【００４７】
Ｓ１７において、エアバッグＥＣＵ４の閾値変更手段４ｂは、ドアロック機構がドアロックであるかドアアンロックであるかを判定し、ドアロックでない場合すなわちドアアンロックである場合においては、Ｓ１８にすすんで、閾値αを正常値から正常値よりも高い高設定値に変更し、閾値βも正常値から正常値よりも高い高設定値に変更する。
【００４８】
Ｓ１７において、エアバッグＥＣＵ４の閾値変更手段４ｂは、ボディＥＣＵ６のロック状態検出手段６ａの検出したロック状態がドアロックかドアアンロックかを判定し、ドアロックである場合においては、Ｓ１９にすすんで、閾値αを正常値よりも高い高設定値から正常値に変更し、閾値βも正常値よりも高い高設定値から正常値に変更する。
【００４９】
その後、Ｓ２０にすすんで、Ｓ２０において、エアバッグＥＣＵ４の制御手段４ａは、ドア加速度センサ２の出力値が閾値αを越えたかどうかを判定し、超えた場合には、側面衝突が発生しているとみなして、Ｓ２２にすすみ、エアバッグ５を動作させるようにエアバッグ５に対して展開信号を出力する。
【００５０】
Ｓ２０において、エアバッグＥＣＵ４の制御手段４ａがドア加速度センサ２の出力値が閾値αを超えていないと判定する場合には、Ｓ２１にすすみ、Ｓ２１において、エアバッグＥＣＵ４の制御手段４ａは、車体加速度センサ３の出力値が閾値βを超えているかどうかを判定する。Ｓ２１において、車体加速度センサ３の出力値が閾値βを超えていると判定される場合には、エアバッグＥＣＵ４の制御手段４ａは側面衝突が発生しているとみなして、Ｓ２２にすすんで、エアバッグ５を動作させるようにエアバッグ５に対して展開信号を出力する。
【００５１】
Ｓ２１において、車体加速度センサ３の出力値が閾値βを超えていると判定されない場合には、エアバッグＥＣＵ４の制御手段４ａは側面衝突が発生していないとみなして、エアバッグ５に展開信号を出力することなく、制御を終了する。
【００５２】
以上述べた本実施例２によれば、以下のような作用効果を得ることができる。すなわち、乗員によりフロントドア又はリヤドアが強閉された場合に、フロントドア又はリヤドアの強閉の衝撃力に起因する加速度が発生して、ドア加速度センサ２の出力値又は車体加速度センサ３の出力値が上昇しても、強閉が行われる可能性のある、自動ドアロック手段６ｃの制御に基づくドアロックがなされていない状態を、ボディＥＣＵ６のロック状態検出手段６ａが検出して、ドアロックがなされていない状態においては、エアバッグＥＣＵ４の閾値変更手段４ｂが閾値α及び閾値βを正常値から正常値より高い高設定値に変更しているので、ドア加速度センサ２の出力値が上昇して閾値αを超える、又は、車体加速度センサ３の出力値が上昇して閾値βを超えることを防止することができる。
【００５３】
これにより、従来技術で問題となった、フロントドア又はリヤドアの閉状態をドアスイッチにより検出した後に、ドアロックがなされるまでの間において、フロントドア又はリヤドアの強閉が行われて、強閉による衝撃力による加速度が、ドア加速度センサ２又は車体加速度センサ３により検出されてしまい、このドア加速度センサ２の出力値が閾値αを超えて又は車体加速度センサ３の出力値が閾値βを超えて、側面衝突が発生していないにもかかわらず、側面衝突用のエアバッグ５が展開されてしまい、不要な展開動作が行われてしまうことを防止することができる。
【００５４】
これに加えて、ボディＥＣＵ６の自動ドアロック手段６ｃにより車速が所定値以上となった場合に、車両のドアロックを行った後に、ボディＥＣＵ６のロック状態検出手段６ａがドアロックを検出して初めて、エアバッグＥＣＵ４の閾値変更手段４ｂが閾値α及び閾値βを正常値から高設定値に変更することになる。このため、車両発進から車速が所定値に到達するまでの低速領域においては、乗員がドア強閉動作を行う可能性が大きいことを鑑みて、万一低速走行中に乗員がドア強閉動作を行った場合においても、エアバッグ５を不必要に展開することを防止することができる。
【００５５】
以上本発明の好ましい実施例について詳細に説明したが、本発明は上述した実施例に制限されることなく、本発明の範囲を逸脱することなく、上述した実施例に種々の変形および置換を加えることができる。
【産業上の利用可能性】
【００５６】
本発明は、自動車に適用される側面衝突用エアバッグ制御装置に関するものであり、比較的軽微な装置の追加変更によりより、不必要な展開動作を防止することができる側面衝突用エアバッグ制御装置を提供することができるので、乗用車、トラック、バス等の様々な車両に適用可能であると共に有用なものである。
【図面の簡単な説明】
【００５７】
【図１】本発明に係る側面衝突用エアバッグ制御装置の一実施例を示す模式図である。
【図２】本発明に係る側面衝突用エアバッグ制御装置の一実施例の制御内容を示すフローチャートである。
【図３】本発明に係る側面衝突用エアバッグ制御装置の一実施例を示す模式図である。
【図４】本発明に係る側面衝突用エアバッグ制御装置の一実施例の制御内容を示すフローチャートである。
【符号の説明】
【００５８】
１      側面衝突用エアバッグ制御装置
２      ドア加速度センサ
３      車体加速度センサ
４      エアバッグＥＣＵ
４ａ    制御手段
４ｂ    閾値変更手段
５      エアバッグ
６      ボディＥＣＵ
６ａ    ロック状態検出手段
６ｂ    車速検出手段
６ｃ    自動ドアロック手段
７      ドアロックアクチュエータ
１１      側面衝突用エアバッグ制御装置
【図１】
2009161059.tif 000003
【図２】
2009161059.tif 000004
【図３】
2009161059.tif 000005
【図４】
2009161059.tif 000006